(57)【要約】  ユーザ装置と基地局とコアネットワーク装置とを有する無線通信システムにおけるユーザ装置であって、前記基地局から、前記コアネットワーク装置がサポートするＮＡＳプロトコル種別を示す情報を受信する受信部と、前記受信部で受信された前記ＮＡＳプロトコル種別を示す情報に基づいて、前記コアネットワーク装置に送信すべきＮＡＳプロトコル種別を選択する選択部と、前記選択部で選択された前記ＮＡＳプロトコル種別のＮＡＳメッセージを前記コアネットワーク装置に送信する送信部と、を有するユーザ装置を提供する。
2018008230.tif 000002
【特許請求の範囲】
【請求項１】
ユーザ装置と基地局とコアネットワーク装置とを有する無線通信システムにおけるユーザ装置であって、
前記基地局から、前記コアネットワーク装置がサポートするＮＡＳプロトコル種別を示す情報を受信する受信部と、
前記受信部で受信された前記ＮＡＳプロトコル種別を示す情報に基づいて、前記コアネットワーク装置に送信すべきＮＡＳプロトコル種別を選択する選択部と、
前記選択部で選択された前記ＮＡＳプロトコル種別のＮＡＳメッセージを前記コアネットワーク装置に送信する送信部と、
を有するユーザ装置。
【請求項２】
前記選択部は、前記コアネットワーク装置が、複数のＮＡＳプロトコル種別をサポートする場合、所定の優先度に基づいて、前記コアネットワーク装置に送信すべきＮＡＳプロトコル種別を選択する、請求項１に記載のユーザ装置。
【請求項３】
ユーザ装置と基地局とコアネットワーク装置とを有する無線通信システムにおけるユーザ装置であって、
前記コアネットワーク装置に送信すべき第一のＮＡＳプロトコル種別を選択する選択部と、
前記選択部で選択された前記第一のＮＡＳプロトコル種別のＮＡＳメッセージを使用することを示す情報を前記基地局に送信する、又は、前記選択部で選択された前記第一のＮＡＳプロトコル種別のＮＡＳメッセージを前記コアネットワーク装置に送信する送信部と、
を有し、
前記選択部は、前記コアネットワーク装置が前記第一のＮＡＳプロトコル種別をサポートしていないことを通知された場合、前記第一のＮＡＳプロトコル種別とは異なる第二のＮＡＳプロトコル種別を選択し、
前記送信部は、前記選択部で選択された前記第二のＮＡＳプロトコル種別のＮＡＳメッセージを前記コアネットワーク装置に送信する、
ユーザ装置。
【請求項４】
前記選択部は、当該ユーザ装置が、複数のＮＡＳプロトコル種別をサポートする場合、所定の優先度に基づいて、前記コアネットワーク装置に送信すべき第一のＮＡＳプロトコル種別を選択する、請求項３に記載のユーザ装置。
【請求項５】
ユーザ装置と基地局と第一のＮＡＳプロトコル種別をサポートする第一のコアネットワーク装置と、第二のＮＡＳプロトコル種別をサポートする第二のコアネットワーク装置とを有する無線通信システムであって、
前記基地局は、当該無線通信システムが前記第一のＮＡＳプロトコル種別及び前記第二のＮＡＳプロトコル種別をサポートすることを示す情報を前記ユーザ装置に送信する送信部、を有し、
前記ユーザ装置は、
前記基地局から、前記情報を受信する受信部と、
前記受信部で受信された前記情報に基づいて、前記第一のコアネットワーク装置又は前記第二のコアネットワーク装置に送信すべきＮＡＳプロトコル種別を選択する選択部と、
前記選択部で前記第一のＮＡＳプロトコル種別が選択された場合に前記第一のＮＡＳプロトコル種別のＮＡＳメッセージを前記第一のコアネットワーク装置に送信し、前記選択部で前記第二のＮＡＳプロトコル種別が選択された場合に前記第二のＮＡＳプロトコル種別のＮＡＳメッセージを前記第二のコアネットワーク装置に送信し、前記選択部で前記第一のＮＡＳプロトコル種別及び前記第二のＮＡＳプロトコル種別が選択された場合に、前記第一のＮＡＳプロトコル種別のＮＡＳメッセージ及び前記第二のＮＡＳプロトコル種別のＮＡＳメッセージをそれぞれ前記第一のコアネットワーク装置及び前記第二のコアネットワーク装置に送信する送信部と、を有する、無線通信システム。
【請求項６】
ユーザ装置と基地局とコアネットワーク装置とを有する無線通信システムにおけるユーザ装置が実行する通信方法であって、
前記基地局から、前記コアネットワーク装置がサポートするＮＡＳプロトコル種別を示す情報を受信するステップと、
受信された前記ＮＡＳプロトコル種別を示す情報に基づいて、前記コアネットワーク装置に送信すべきＮＡＳプロトコル種別を選択するステップと、
選択された前記ＮＡＳプロトコル種別のＮＡＳメッセージを前記コアネットワーク装置に送信するステップと、
を有する通信方法。
【発明の詳細な説明】
【技術分野】
【０００１】
本発明は、ユーザ装置、無線通信システム及び通信方法に関する。
【背景技術】
【０００２】
Long Term Evolution（ＬＴＥ）では、システム容量の更なる大容量化、データ伝送速度の更なる高速化、無線区間における更なる低遅延化などを実現するために、５Ｇと呼ばれる無線通信方式の検討が進んでいる。【０００３】
また、５Ｇの無線通信方式の検討と並行して、５Ｇの無線アクセス技術（new Radio Access Technology（ＲＡＴ））、進化型E-UTRA（evolved E-UTRA）、３ＧＰＰ以外のアクセス技術（non-3GPP access type）などをサポートするための無線通信システムに関する検討が進められている（例えば、非特許文献１参照）。非特許文献１によれば、当該無線通信システムは、次世代システム（Next Generation System）と呼ばれている。次世代システムは、次世代コアネットワーク（Next Generation Core Network）を含む。
【先行技術文献】
【非特許文献】
【０００４】
【非特許文献１】３ＧＰＰ  ＴＲ２３．７９９  Ｖ０．５．０（２０１６−０５）
【発明の概要】
【発明が解決しようとする課題】
【０００５】
ところで、現在、３ＧＰＰにて５Ｇのネットワークアーキテクチャの検討が開始されている。具体的には、ＲＡＮ（無線アクセスネットワーク：Radio Access Network）及びＣＮ（コアＮＷ：Core Network）共に５Ｇをサポートするネットワークアーキテクチャ、ＲＡＮのみが５Ｇをサポートし、ＣＮについては従来のＬＴＥをサポートするＣＮを流用するネットワークアーキテクチャ、ＲＡＮは５Ｇをサポートし、ＣＮについては、従来のＬＴＥをサポートするＣＮと５ＧをサポートするＣＮとを有するネットワークアーキテクチャが検討されている。【０００６】
しかしながら、現状の３ＧＰＰの規定では、ＵＥが、ネットワークアーキテクチャに応じた適切なＮｏｎ−Ａｃｃｅｓｓ  Ｓｔｒａｔｕｍ（ＮＡＳ）プロトコルを使用することを可能にする仕組みは存在しない。【０００７】
開示の技術は上記に鑑みてなされたものであって、ＵＥが、ネットワークアーキテクチャに応じた適切なＮＡＳプロトコルを使用することを可能にする技術を提供することを目的とする。
【課題を解決するための手段】
【０００８】
開示の技術のＵＥは、ユーザ装置と基地局とコアネットワーク装置とを有する無線通信システムにおけるユーザ装置であって、前記基地局から、前記コアネットワーク装置がサポートするＮＡＳプロトコル種別を示す情報を受信する受信部と、前記受信部で受信された前記ＮＡＳプロトコル種別を示す情報に基づいて、前記コアネットワーク装置に送信すべきＮＡＳプロトコル種別を選択する選択部と、前記選択部で選択された前記ＮＡＳプロトコル種別のＮＡＳメッセージを前記コアネットワーク装置に送信する送信部と、を有する。
【発明の効果】
【０００９】
開示の技術によれば、ＵＥが、ネットワークアーキテクチャに応じた適切なＮＡＳプロトコルを使用することを可能にする技術が提供される。
【図面の簡単な説明】
【００１０】
【図１Ａ】３ＧＰＰで検討されているネットワークアーキテクチャの一例を示す図である。
【図１Ｂ】３ＧＰＰで検討されているネットワークアーキテクチャの一例を示す図である。
【図１Ｃ】３ＧＰＰで検討されているネットワークアーキテクチャの一例を示す図である。
【図２】実施の形態に係る無線通信システムの構成例を示す図である。
【図３Ａ】実施の形態に係るＵＥの機能構成例を示す図である。
【図３Ｂ】実施の形態に係る基地局の機能構成例を示す図である。
【図４】実施の形態に係るＵＥ及び基地局のハードウェア構成の一例を示す図である。
【図５】第一の実施の形態に係る無線通信システムが行う処理手順の一例を示すシーケンス図である。
【図６】第一の実施の形態に係る無線通信システムが行う処理手順の一例を示すシーケンス図である。
【図７】第二の実施の形態に係る無線通信システムが行う処理手順の一例を示すシーケンス図である。
【図８】第二の実施の形態に係る無線通信システムが行う処理手順の一例を示すシーケンス図である。
【図９】第三の実施の形態に係る無線通信システムが行う処理手順の一例を示すシーケンス図である。
【図１０】第三の実施の形態に係る無線通信システムが行う処理手順の一例を示すシーケンス図である。
【図１１】第三の実施の形態に係る無線通信システムが行う処理手順の一例を示すシーケンス図である。
【図１２】第三の実施の形態に係る無線通信システムが行う処理手順の一例を示すシーケンス図である。
【図１３】第四の実施の形態に係る無線通信システムが行う処理手順の一例を示すシーケンス図である。
【図１４】第四の実施の形態に係る無線通信システムが行う処理手順の一例を示すシーケンス図である。
【図１５】第四の実施の形態に係る無線通信システムが行う処理手順の一例を示すシーケンス図である。
【図１６】第四の実施の形態に係る無線通信システムが行う処理手順の一例を示すシーケンス図である。
【発明を実施するための形態】
【００１１】
以下、図面を参照して本発明の実施の形態を説明する。なお、以下で説明する実施の形態は一例に過ぎず、本発明が適用される実施の形態は、以下の実施の形態に限られるわけではない。
【００１２】
＜３ＧＰＰで検討されているネットワークアーキテクチャ＞
現在、３ＧＰＰにて５Ｇのネットワークアーキテクチャの検討が開始されている。図１Ａは、ＲＡＮ及びＣＮ共に５Ｇをサポートするネットワークアーキテクチャである。図１Ａの場合、User Equipment（ＵＥ）は、５Ｇ用のAccess Stratum（ＡＳ）プロトコル及び５Ｇ用のNon Access Stratum（ＮＡＳ）プロトコルを用いてＲＡＮ及びＣＮと通信を行うことが想定されている。なお、ＡＳプロトコルとは、ＵＥ及び基地局の間で用いられるプロトコルであり、ＮＡＳプロトコルとは、ＵＥ及びＣＮの間で用いられるプロトコルである。
【００１３】
図１Ｂは、ＲＡＮのみが５Ｇをサポートし、ＣＮについては従来のＬＴＥをサポートするＣＮを流用するネットワークアーキテクチャである。図１Ｂの場合、ＵＥは、５Ｇ用のＡＳプロトコル及びＬＴＥ用のＮＡＳプロトコルを用いてＲＡＮ及びＣＮと通信を行うことが想定されている。
【００１４】
図１Ｃは、ＲＡＮは５Ｇをサポートし、ＣＮについては、従来のＬＴＥをサポートするＣＮと５ＧをサポートするＣＮとを有するネットワークアーキテクチャである。図１Ｃの場合、ＵＥは、５Ｇ用のＡＳプロトコルと、ＬＴＥ用のＮＡＳプロトコルと、５Ｇ用のＮＡＳプロトコルとを用いてＲＡＮ及びＣＮと通信を行うことが想定されている。
【００１５】
将来的には、これらの複数のネットワークアーキテクチャのうちどのネットワークアーキテクチャを採用するのかについてはオペレータのポリシー等に応じて決定されることが考えられる。従って、ＵＥは、接続するネットワークのネットワークアーキテクチャを把握し、ＬＴＥ用のＮＡＳプロトコルを使用すべきなのか、５Ｇ用のＮＡＳプロトコルを使用すべきなのかを判断し、適切なＮＡＳプロトコルを使用する必要がある。
【００１６】
＜システム構成＞
図２は、実施の形態に係る無線通信システムの構成例を示す図である。図２に示すように、実施の形態に係る無線通信システムは、ＵＥ１０と、基地局２０と、ＣＮ装置（ＬＴＥ）３０と、ＣＮ装置（５Ｇ）４０とを含む。図２には、ＵＥ１０と、基地局２０と、ＣＮ装置（ＬＴＥ）３０と、ＣＮ装置（５Ｇ）４０とがそれぞれ１つずつ図示されているが、それぞれ２つ以上であってもよい。なお、以下の説明において、ＣＮ装置（ＬＴＥ）３０及びＣＮ装置（５Ｇ）４０をまとめて「ＣＮ装置」又は「ＮＷ（ネットワーク）」と呼ぶ。
【００１７】
ＵＥ１０は、ＬＴＥをサポートする（すなわち、ＬＴＥ用のＮＡＳプロトコルをサポートする）ＵＥ１０であってもよいし、５Ｇをサポートする（すなわち、５Ｇ用のＮＡＳプロトコルをサポートする）ＵＥ１０であってもよい。ＬＴＥ及び５Ｇの両方をサポートする（すなわち、ＬＴＥ用のＮＡＳプロトコル及び５Ｇ用のＮＡＳプロトコルの両方をサポートする）ＵＥ１０であってもよい。
【００１８】
基地局２０は、５ＧのＲＡＴをサポートする基地局であり、ＵＥ１０及びＣＮ装置間で送受信されるＮＡＳメッセージをＣＮ装置に転送可能にするために、基地局２０自身とＣＮ装置との間にインタフェース（コネクション）を確立する機能を有する。
【００１９】
ＣＮ装置（ＬＴＥ）３０は、ＬＴＥ用のＮＡＳプロトコルのＮＡＳメッセージを受信することで、アタッチ、位置登録などの各種の呼処理を行う機能を有する。
【００２０】
ＣＮ装置（５Ｇ）４０は、５Ｇ用のＮＡＳプロトコルのＮＡＳメッセージを受信することで、アタッチ、位置登録などの各種の呼処理を行う機能を有する。
【００２１】
実施の形態に係る無線通信システムは、図１で説明したネットワークアーキテクチャのうちいずれか１つをサポートすることを想定している。そのため、図１Ａに示すネットワークアーキテクチャをサポートする場合、本無線通信システムにＣＮ装置（ＬＴＥ）３０は含まれなくてもよい。また、図１Ｂに示すネットワークアーキテクチャをサポートする場合、本無線通信システムにＣＮ装置（５Ｇ）４０は含まれなくてもよい。
【００２２】
＜機能構成＞
（ＵＥ）
図３Ａは、実施の形態に係るＵＥの機能構成例を示す図である。図３Ａに示すように、ＵＥ１０は、ＡＳ（５Ｇ）処理部１００と、ＮＡＳ（５Ｇ）処理部１０１と、ＮＡＳ（ＬＴＥ）処理部１０２と、ＲＡＴ管理部１０３とを有する。なお、図３Ａは、ＵＥ１０において本発明の実施の形態に特に関連する機能部のみを示すものである。また、図３Ａに示す機能構成は一例に過ぎない。本実施の形態に係る動作を実行できるのであれば、機能区分及び機能部の名称はどのようなものでもよい。
【００２３】
ＡＳ（５Ｇ）処理部１００は、ＡＳプロトコル（例えば、Physical Layer（ＰＨＹ）、Medium Access Control（ＭＡＣ）、Packet Data Convergence Protocol（ＰＤＣＰ）、Radio Link Control（ＲＬＣ）、Radio Resource Control（ＲＲＣ）など）を用いて基地局２０との間で５Ｇにおけるレイヤ１〜レイヤ３までの各種の無線信号を処理する機能を有する。
【００２４】
また、ＡＳ（５Ｇ）処理部１００は、ＣＮ装置がサポートするＮＡＳプロトコル種別を示す情報を基地局２０から受信する機能を有する。また、ＡＳ（５Ｇ）処理部１００は、ＲＡＴ管理部１０３で選択されたＮＡＳプロトコル種別のＮＡＳメッセージを使用することを示す情報を、基地局２０に送信する機能を有する。
【００２５】
ＮＡＳ（５Ｇ）処理部１０１は、５Ｇ用のＮＡＳプロトコルをサポートし、５Ｇ用のＮＡＳプロトコルのＮＡＳメッセージを、ＡＳ（５Ｇ）処理部１００を介してＣＮ装置（５Ｇ）４０との間で送受信する機能を有する。また、ＮＡＳ（５Ｇ）処理部１０１は、ＲＡＴ管理部１０３で５Ｇ用のＮＡＳプロトコルが選択された場合、５Ｇ用のＮＡＳプロトコル種別のＮＡＳメッセージをＣＮ装置（５Ｇ）４０に送信する機能を有する。
【００２６】
ＮＡＳ（ＬＴＥ）処理部１０２は、ＬＴＥ用のＮＡＳプロトコルをサポートし、ＬＴＥ用のＮＡＳプロトコルのＮＡＳメッセージを、ＡＳ（５Ｇ）処理部１００を介してＣＮ装置（ＬＴＥ）３０との間で送受信する機能を有する。また、ＮＡＳ（ＬＴＥ）処理部１０２は、ＲＡＴ管理部１０３でＬＴＥ用のＮＡＳプロトコルが選択された場合、ＬＴＥ用のＮＡＳプロトコル種別のＮＡＳメッセージをＣＮ装置（ＬＴＥ）３０に送信する機能を有する。
【００２７】
ＲＡＴ管理部１０３は、ＡＳ（５Ｇ）処理部１００で受信された、ＣＮ装置がサポートするＮＡＳプロトコル種別を示す情報に基づいて、ＣＮ装置に送信すべきＮＡＳプロトコル種別を選択する機能を有する。また、ＲＡＴ管理部１０３は、ＣＮ装置が、複数のＮＡＳプロトコル種別（５Ｇ用のＮＡＳプロトコル及びＬＴＥ用のＮＡＳプロトコルの両方）をサポートする場合、所定の優先度に基づいて、ＣＮ装置に送信すべきＮＡＳプロトコル種別を選択するようにしてもよい。また、ＲＡＴ管理部１０３は、ＣＮ装置がサポートするＮＡＳプロトコル種別を示す情報及びＵＥ１０自身がサポートするＮＡＳプロトコル種別に基づいて、ＣＮ装置に送信すべきＮＡＳプロトコル種別を選択するようにしてもよい。
【００２８】
また、ＲＡＴ管理部１０３は、ＣＮ装置において５Ｇ用のＮＡＳプロトコル種別をサポートしていないことを基地局２０又はＣＮ装置から通知された場合、ＮＡＳメッセージに用いるＮＡＳプロトコル種別としてＬＴＥ用のＮＡＳプロトコル種別を選択し、ＬＴＥ用のＮＡＳプロトコル種別を選択したことをＮＡＳ（ＬＴＥ）処理部１０２に通知するようにしてもよい。また、ＲＡＴ管理部１０３は、ＣＮ装置においてＬＴＥ用のＮＡＳプロトコル種別をサポートしていないことを基地局２０又はＣＮ装置から通知された場合、ＮＡＳメッセージに用いるＮＡＳプロトコル種別として５Ｇ用のＮＡＳプロトコル種別を選択し、５Ｇ用のＮＡＳプロトコル種別を選択したことをＮＡＳ（５Ｇ）処理部１０１に通知するようにしてもよい。
【００２９】
（基地局）
図３Ｂは、実施の形態に係る基地局の機能構成例を示す図である。図３Ｂに示すように、基地局２０は、通信部２００と、選択部２０１とを有する。なお、図３Ｂは、基地局２０において本発明の実施の形態に特に関連する機能部のみを示すものである。また、図３Ｂに示す機能構成は一例に過ぎない。本実施の形態に係る動作を実行できるのであれば、機能区分及び機能部の名称はどのようなものでもよい。
【００３０】
通信部２００は、ＡＳプロトコル（例えば、ＰＨＹ、ＭＡＣ、ＰＤＣＰ、ＲＬＣ（Radio Link Control）、ＲＲＣなど）を用いてＵＥ１０との間で５Ｇにおけるレイヤ１〜レイヤ３までの各種の無線信号を処理する機能を有する。また、通信部２００は、所定のプロトコル（例えば、Ｓ１−ＡＰなど）を用いて、ＣＮ装置（ＬＴＥ）３０及び／又はＣＮ装置（ＬＴＥ）３０との間でＮＡＳメッセージを送受信するためのインタフェース（コネクション）を確立する機能を有する。
【００３１】
選択部２０１は、ＵＥ１０からの通知に基づき、ＮＡＳメッセージを送受信するためのインタフェース（コネクション）を、ＣＮ装置（ＬＴＥ）３０との間で確立するのか、及び／又はＣＮ装置（５Ｇ）４０との間で確立するのかを選択して通信部２００に通知する機能を有する。
【００３２】
＜ハードウェア構成＞
上述の機能構成の説明に用いたブロック図（図３Ａ及び図３Ｂ）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００３３】
例えば、実施の形態におけるＵＥ１０及び基地局２０は、本発明の一実施の形態に係る通信方法の処理を行うコンピュータとして機能してもよい。図４は、実施の形態に係るＵＥ及び基地局のハードウェア構成の一例を示す図である。上述のＵＥ１０及び基地局２０は、物理的には、プロセッサ１００１、メモリ１００２、ストレージ１００３、通信装置１００４、入力装置１００５、出力装置１００６、バス１００７などを含むコンピュータ装置として構成されてもよい。
【００３４】
なお、以下の説明では、「装置」という文言は、回路、デバイス、ユニットなどに読み替えることができる。ＵＥ１０及び基地局２０のハードウェア構成は、図に示した各装置を１つ又は複数含むように構成されてもよいし、一部の装置を含まずに構成されてもよい。
【００３５】
ＵＥ１０及び基地局２０における各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【００３６】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、ＵＥ１０のＡＳ（５Ｇ）処理部１００と、ＮＡＳ（５Ｇ）処理部１０１と、ＮＡＳ（ＬＴＥ）処理部１０２と、ＲＡＴ管理部１０３と、基地局２０の通信部２００と、選択部２０１とは、プロセッサ１００１で実現されてもよい。
【００３７】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、実施の形態で説明する動作の少なくとも一部をコンピュータに実行させるプログラムが用いられる。例えば、ＵＥ１０のＡＳ（５Ｇ）処理部１００と、ＮＡＳ（５Ｇ）処理部１０１と、ＮＡＳ（ＬＴＥ）処理部１０２と、ＲＡＴ管理部１０３と、基地局２０の通信部２００と、選択部２０１とは、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００３８】
メモリ１００２は、コンピュータ読み取り可能な記録媒体であり、例えば、Read  Only  Memory（ＲＯＭ）、Erasable  Programmable  ＲＯＭ（ＥＰＲＯＭ）、Electrically Erasable Programmable ＲＯＭ（ＥＥＰＲＯＭ）、Random  Access  Memory（ＲＡＭ）などの少なくとも１つで構成されてもよい。メモリ１００２は、レジスタ、キャッシュ、メインメモリ（主記憶装置）などと呼ばれてもよい。メモリ１００２は、本発明の一実施の形態に係る通信方法を実施するために実行可能なプログラム（プログラムコード）、ソフトウェアモジュールなどを保存することができる。
【００３９】
ストレージ１００３は、コンピュータ読み取り可能な記録媒体であり、例えば、Compact  Disc  ＲＯＭ（ＣＤ−ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００４０】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、ＵＥ１０のＡＳ（５Ｇ）処理部１００と基地局２０の通信部２００とは、通信装置１００４で実現されてもよい。
【００４１】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００４２】
また、プロセッサ１００１及びメモリ１００２などの各装置は、情報を通信するためのバス１００７で接続される。バス１００７は、単一のバスで構成されてもよいし、装置間で異なるバスで構成されてもよい。
【００４３】
また、ＵＥ１０及び基地局２０は、マイクロプロセッサ、デジタル信号プロセッサ（ＤＳＰ：Digital  Signal  Processor）、Application  Specific  Integrated  Circuit（ＡＳＩＣ）、Programmable  Logic  Device（ＰＬＤ）、Field  Programmable  Gate  Array（ＦＰＧＡ）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００４４】
＜処理手順＞
続いて、本実施の形態に係る無線通信システムが行う処理手順について複数の実施の形態に分けて説明する。
【００４５】
［第一の実施の形態］
第一の実施の形態では、ＵＥ１０に対してＮＷがサポートするＮＡＳプロトコルの種別を報知情報（ブロードキャスト情報、システム情報とも呼ばれる）で通知し、ＵＥ１０は、ＣＮがサポートするＮＡＳプロトコル種別に基づいて、ＣＮに送信するＮＡＳプロトコル種別を選択する。
【００４６】
図５及び図６は、第一の実施の形態に係る無線通信システムが行う処理手順の一例を示すシーケンス図である。
【００４７】
ＵＥ１０のＡＳ（５Ｇ）処理部１００は、５Ｇエリアに在圏したことを検出し（Ｓ１０１）、基地局２０から報知情報を受信する（Ｓ１０２）。報知情報には、ＮＷがサポートするＮＡＳプロトコルの種別が含まれる。
【００４８】
ＮＷが５Ｇ用のＮＡＳプロトコルのみに対応している場合であって、かつ、ＵＥ１０が５Ｇ用のＮＡＳプロトコルに対応している場合、ＵＥ１０のＡＳ（５Ｇ）処理部１００は、ＮＷが５Ｇ用のＮＡＳプロトコルのみに対応していることをＲＡＴ管理部１０３に通知する（Ｓ１１１）。ＲＡＴ管理部１０３は、５Ｇ用のＮＡＳプロトコルを用いてＮＡＳ接続を行うようにＮＡＳ（５Ｇ）処理部１０１に要求する（Ｓ１１２）。ＮＡＳ（５Ｇ）処理部１０１はＡＳ（５Ｇ）処理部１００に無線確立要求を通知する（Ｓ１１３）。ＡＳ（５Ｇ）処理部１００は、基地局２０との間で無線確立手順を行う（Ｓ１１４）。ＡＳ（５Ｇ）処理部１００は、ＮＡＳ（５Ｇ）処理部１０１に、無線確立手順が完了したことを通知する（Ｓ１１５）。基地局２０の通信部２００は、ＣＮ装置（５Ｇ）４０との間で、ＮＡＳメッセージを送受信するためのインタフェース（コネクション）を確立する（Ｓ１１６）。ＵＥ１０のＮＡＳ（５Ｇ）処理部１０１は、ＣＮ装置（５Ｇ）４０に、５Ｇ用のＮＡＳプロトコルのＮＡＳメッセージ（アタッチ）を送信する（Ｓ１１７）。
【００４９】
ＮＷが５Ｇ用のＮＡＳプロトコルのみに対応している場合であって、かつ、ＵＥ１０が５Ｇ用のＮＡＳプロトコルに対応していない場合、ＵＥ１０のＡＳ（５Ｇ）処理部１００は、ＮＷが５Ｇ用のＮＡＳプロトコルのみに対応していることをＲＡＴ管理部１０３に通知する（Ｓ１２１）。ＲＡＴ管理部１０３は、ＵＥ１０が５Ｇ用のＮＡＳプロトコルに対応していないため、他のＲＡＴ（例えばＬＴＥ）のエリア又は他のオペレータのエリアに在圏することを選択する（Ｓ１２２）。
【００５０】
ＮＷがＬＴＥ用のＮＡＳプロトコルのみに対応している場合であって、かつ、ＵＥ１０がＬＴＥ用のＮＡＳプロトコルに対応している場合、ＵＥ１０のＡＳ（５Ｇ）処理部１００は、ＮＷがＬＴＥ用のＮＡＳプロトコルのみに対応していることをＲＡＴ管理部１０３に通知する（Ｓ１３１）。ＲＡＴ管理部１０３は、ＬＴＥ用のＮＡＳプロトコルを用いてＮＡＳ接続を行うようにＮＡＳ（ＬＴＥ）処理部１０２に要求する（Ｓ１３２）。ＮＡＳ（ＬＴＥ）処理部１０２はＡＳ（５Ｇ）処理部１００に無線確立要求を通知する（Ｓ１３３）。ＡＳ（５Ｇ）処理部１００は、基地局２０との間で無線確立手順を行う（Ｓ１３４）。ＡＳ（５Ｇ）処理部１００は、ＮＡＳ（ＬＴＥ）処理部１０２に、無線確立手順が完了したことを通知する（Ｓ１３５）。基地局２０の通信部２００は、ＣＮ装置（ＬＴＥ）３０との間で、ＮＡＳメッセージを送受信するためのインタフェース（コネクション）を確立する（Ｓ１３６）。ＵＥ１０のＮＡＳ（ＬＴＥ）処理部１０２は、ＣＮ装置（ＬＴＥ）３０に、ＬＴＥ用のＮＡＳプロトコルのＮＡＳメッセージ（アタッチ）を送信する（Ｓ１３７）。
【００５１】
ＮＷがＬＴＥ用のＮＡＳプロトコルのみに対応している場合であって、かつ、ＵＥ１０がＬＴＥ用のＮＡＳプロトコルに対応していない場合、ＵＥ１０のＡＳ（５Ｇ）処理部１００は、ＮＷがＬＴＥ用のＮＡＳプロトコルのみに対応していることをＲＡＴ管理部１０３に通知する（Ｓ１４１）。ＲＡＴ管理部１０３は、ＵＥ１０がＬＴＥ用のＮＡＳプロトコルに対応していないため、他のＲＡＴ（例えば５Ｇ）のエリア又は他のオペレータのエリアに在圏することを選択する（Ｓ１４２）。
【００５２】
ＮＷが５Ｇ用のＮＡＳプロトコル及びＬＴＥ用のＮＡＳプロトコルの両方に対応している場合であって、かつ、ＵＥ１０が５Ｇ用のＮＡＳプロトコルのみに対応している場合、ＵＥ１０のＡＳ（５Ｇ）処理部１００は、ＮＷが５Ｇ用のＮＡＳプロトコル及びＬＴＥ用のＮＡＳプロトコルの両方に対応していることをＲＡＴ管理部１０３に通知する（Ｓ１５１）。ＲＡＴ管理部１０３は、５Ｇ用のＮＡＳプロトコルを用いてＮＡＳ接続を行うようにＮＡＳ（５Ｇ）処理部１０１に要求する（Ｓ１５２）。ＮＡＳ（５Ｇ）処理部１０１はＡＳ（５Ｇ）処理部１００に無線確立要求を通知する（Ｓ１５３）。ＡＳ（５Ｇ）処理部１００は、基地局２０との間で無線確立手順を行う（Ｓ１５４）。なお、ＡＳ（５Ｇ）処理部１００は、無線確立手順の中で、基地局２０に対して、５Ｇ用のＮＡＳプロトコルのＮＡＳメッセージを送信予定であることを通知しておく。ＡＳ（５Ｇ）処理部１００は、ＮＡＳ（５Ｇ）処理部１０１に、無線確立手順が完了したことを通知する（Ｓ１５５）。基地局２０の通信部２００は、当該通知に基づき、ＣＮ装置（５Ｇ）４０との間で、ＮＡＳメッセージを送受信するためのインタフェース（コネクション）を確立する（Ｓ１５６）。ＵＥ１０のＮＡＳ（５Ｇ）処理部１０１は、ＣＮ装置（５Ｇ）４０に、５Ｇ用のＮＡＳプロトコルのＮＡＳメッセージ（アタッチ）を送信する（Ｓ１５７）。
【００５３】
ＮＷが５Ｇ用のＮＡＳプロトコル及びＬＴＥ用のＮＡＳプロトコルの両方に対応している場合であって、かつ、ＵＥ１０がＬＴＥ用のＮＡＳプロトコルのみに対応している場合、ＵＥ１０のＡＳ（５Ｇ）処理部１００は、ＮＷが５Ｇ用のＮＡＳプロトコル及びＬＴＥ用のＮＡＳプロトコルの両方に対応していることをＲＡＴ管理部１０３に通知する（Ｓ１６１）。ＲＡＴ管理部１０３は、ＬＴＥ用のＮＡＳプロトコルを用いてＮＡＳ接続を行うようにＮＡＳ（ＬＴＥ）処理部１０２に要求する（Ｓ１６２）。ＮＡＳ（ＬＴＥ）処理部１０２はＡＳ（５Ｇ）処理部１００に無線確立要求を通知する（Ｓ１６３）。ＡＳ（５Ｇ）処理部１００は、基地局２０との間で無線確立手順を行う（Ｓ１６４）。なお、ＡＳ（５Ｇ）処理部１００は、無線確立手順の中で、基地局２０に対して、ＬＴＥ用のＮＡＳプロトコルのＮＡＳメッセージを送信予定であることを通知しておく。ＡＳ（５Ｇ）処理部１００は、ＮＡＳ（ＬＴＥ）処理部１０２に、無線確立手順が完了したことを通知する（Ｓ１６５）。基地局２０の通信部２００は、当該通知に基づき、ＣＮ装置（ＬＴＥ）３０との間で、ＮＡＳメッセージを送受信するためのインタフェース（コネクション）を確立する（Ｓ１６６）。ＵＥ１０のＮＡＳ（ＬＴＥ）処理部１０２は、ＣＮ装置（ＬＴＥ）３０に、ＬＴＥ用のＮＡＳプロトコルのＮＡＳメッセージ（アタッチ）を送信する（Ｓ１６７）。
【００５４】
ＮＷ及びＵＥ１０がそれぞれ５Ｇ用のＮＡＳプロトコル及びＬＴＥ用のＮＡＳプロトコルの両方に対応している場合、ＵＥ１０のＡＳ（５Ｇ）処理部１００は、ＮＷが５Ｇ用のＮＡＳプロトコル及びＬＴＥ用のＮＡＳプロトコルの両方に対応していることをＲＡＴ管理部１０３に通知する（Ｓ１７１）。ＲＡＴ管理部１０３は、優先度を示す情報に基づいて、ＬＴＥ用のＮＡＳプロトコルを用いてＮＡＳ接続を行うのか、５Ｇ用のＮＡＳプロトコルを用いてＮＡＳ接続を行うのかを選択する（Ｓ１７２）。５Ｇ用のＮＡＳプロトコルを用いてＮＡＳ接続を行う場合はステップＳ１５２の処理手順に進み、ＬＴＥ用のＮＡＳプロトコルを用いてＮＡＳ接続を行う場合はステップＳ１６２の処理手順に進む。なお、ＲＡＴ管理部１０３は、ＣＮ装置（ＬＴＥ）３０及びＣＮ装置（５Ｇ）４０の両方にアタッチするために、ステップＳ１５２の処理手順及びステップＳ１６２の処理手順の両方を実行してもよい。
【００５５】
以上、第一の実施の形態について説明した。第一の実施の形態によれば、ＵＥ１０は、ＣＮがサポートするＮＡＳプロトコル種別に基づいて、ＣＮに送信するＮＡＳプロトコル種別を選択することができる。
【００５６】
［第二の実施の形態］
第二の実施の形態では、ＵＥ１０が基地局２０との間で行われる無線確立手順において、基地局２０からＵＥ１０に対して、ＮＷがサポートするＮＡＳプロトコルの種別を通知し、ＵＥ１０は、ＣＮがサポートするＮＡＳプロトコル種別に基づいて、ＣＮに送信するＮＡＳプロトコル種別を選択する。
【００５７】
図７及び図８は、第二の実施の形態に係る無線通信システムが行う処理手順の一例を示すシーケンス図である。
【００５８】
ＵＥ１０のＡＳ（５Ｇ）処理部１００は、５Ｇエリアに在圏したことを検出し（Ｓ２０１）、基地局２０から報知情報を受信する（Ｓ２０２）。ＡＳ（５Ｇ）処理部１００は、報知情報をＲＡＴ管理部１０３に通知する（Ｓ２０３）。ＲＡＴ管理部１０３は、ＡＳ（５Ｇ）処理部１００に無線の確立を要求する（Ｓ２０４）。ＡＳ（５Ｇ）処理部１００は、基地局２０に対して無線確立要求を送信する（Ｓ２０５）、基地局２０の通信部２００は、ＵＥ１０に、ＮＷがサポートするＮＡＳプロトコルの種別を含む無線確立指示信号を送信する（Ｓ２０６）。ＡＳ（５Ｇ）処理部１００は、基地局２０に無線確立完了を通知する（Ｓ２０７）。基地局２０の通信部２００は、ＮＷがＬＴＥ用のＮＡＳプロトコルに対応している場合、ＣＮ装置（ＬＴＥ）３０との間で、ＮＡＳメッセージを送受信するためのインタフェース（コネクション）を確立する。また、基地局２０の通信部２００は、ＮＷが５Ｇ用のＮＡＳプロトコルに対応している場合、ＣＮ装置（５Ｇ）４０との間で、ＮＡＳメッセージを送受信するためのインタフェース（コネクション）を確立する（Ｓ２０８）。ＮＷがＬＴＥ用のＮＡＳプロトコルと５Ｇ用のＮＡＳプロトコルの両方に対応している場合、基地局２０の通信部２００は、ＣＮ装置（ＬＴＥ）３０とＣＮ装置（５Ｇ）４０の両方の間で、ＮＡＳメッセージを送受信するためのインタフェース（コネクション）を確立しても良い。
【００５９】
ＮＷが５Ｇ用のＮＡＳプロトコルのみに対応している場合であって、かつ、ＵＥ１０が５Ｇ用のＮＡＳプロトコルに対応している場合、ＵＥ１０のＡＳ（５Ｇ）処理部１００は、無線確立通知と共に、ＮＷが５Ｇ用のＮＡＳプロトコルのみに対応していることをＲＡＴ管理部１０３に通知する（Ｓ２１１）。ＲＡＴ管理部１０３は、５Ｇ用のＮＡＳプロトコルを用いてＮＡＳ接続を行うようにＮＡＳ（５Ｇ）処理部１０１に要求する（Ｓ２１２）。ＮＡＳ（５Ｇ）処理部１０１は、ＣＮ装置（５Ｇ）４０に、５Ｇ用のＮＡＳプロトコルのＮＡＳメッセージ（アタッチ）を送信する（Ｓ２１３）。
【００６０】
ＮＷが５Ｇ用のＮＡＳプロトコルのみに対応している場合であって、かつ、ＵＥ１０が５Ｇ用のＮＡＳプロトコルに対応していない場合、ＵＥ１０のＡＳ（５Ｇ）処理部１００は、無線確立通知と共に、ＮＷが５Ｇ用のＮＡＳプロトコルのみに対応していることをＲＡＴ管理部１０３に通知する（Ｓ２１１）。ＲＡＴ管理部１０３は、ＵＥ１０が５Ｇ用のＮＡＳプロトコルに対応していないため、基地局２０との間の無線コネクションを開放するようにＡＳ（５Ｇ）処理部１００に指示すると共に、他のＲＡＴ（例えばＬＴＥ）のエリア又は他のオペレータのエリアに在圏することを選択する（Ｓ２２２）。
【００６１】
ＮＷがＬＴＥ用のＮＡＳプロトコルのみに対応している場合であって、かつ、ＵＥ１０がＬＴＥ用のＮＡＳプロトコルに対応している場合、ＵＥ１０のＡＳ（５Ｇ）処理部１００は、無線確立通知と共に、ＮＷがＬＴＥ用のＮＡＳプロトコルのみに対応していることをＲＡＴ管理部１０３に通知する（Ｓ２３１）。ＲＡＴ管理部１０３は、ＬＴＥ用のＮＡＳプロトコルを用いてＮＡＳ接続を行うようにＮＡＳ（ＬＴＥ）処理部１０２に要求する（Ｓ２３２）。ＮＡＳ（ＬＴＥ）処理部１０２は、ＣＮ装置（ＬＴＥ）３０に、ＬＴＥ用のＮＡＳプロトコルのＮＡＳメッセージ（アタッチ）を送信する（Ｓ２３３）。
【００６２】
ＮＷがＬＴＥ用のＮＡＳプロトコルのみに対応している場合であって、かつ、ＵＥ１０がＬＴＥ用のＮＡＳプロトコルに対応していない場合、ＵＥ１０のＡＳ（５Ｇ）処理部１００は、無線確立通知と共に、ＮＷがＬＴＥ用のＮＡＳプロトコルのみに対応していることをＲＡＴ管理部１０３に通知する（Ｓ２４１）。ＲＡＴ管理部１０３は、ＵＥ１０がＬＴＥ用のＮＡＳプロトコルに対応していないため、基地局２０との間の無線コネクションを開放するようにＡＳ（５Ｇ）処理部１００に指示すると共に、他のＲＡＴ（例えばＬＴＥ）のエリア又は他のオペレータのエリアに在圏することを選択する（Ｓ２４２）。
【００６３】
ＮＷが５Ｇ用のＮＡＳプロトコル及びＬＴＥ用のＮＡＳプロトコルの両方に対応している場合であって、かつ、ＵＥ１０が５Ｇ用のＮＡＳプロトコルのみに対応している場合、ＵＥ１０のＡＳ（５Ｇ）処理部１００は、無線確立通知と共に、ＮＷが５Ｇ用のＮＡＳプロトコル及びＬＴＥ用のＮＡＳプロトコルの両方に対応していることをＲＡＴ管理部１０３に通知する（Ｓ２５１）。ＲＡＴ管理部１０３は、５Ｇ用のＮＡＳプロトコルを用いてＮＡＳ接続を行うようにＮＡＳ（５Ｇ）処理部１０１に要求する（Ｓ２５２）。ＮＡＳ（５Ｇ）処理部１０１は、ＣＮ装置（５Ｇ）４０に、５Ｇ用のＮＡＳプロトコルのＮＡＳメッセージ（アタッチ）を送信する（Ｓ２５３）。
【００６４】
ＮＷが５Ｇ用のＮＡＳプロトコル及びＬＴＥ用のＮＡＳプロトコルの両方に対応している場合であって、かつ、ＵＥ１０がＬＴＥ用のＮＡＳプロトコルのみに対応している場合、ＵＥ１０のＡＳ（５Ｇ）処理部１００は、無線確立通知と共に、ＮＷが５Ｇ用のＮＡＳプロトコル及びＬＴＥ用のＮＡＳプロトコルの両方に対応していることをＲＡＴ管理部１０３に通知する（Ｓ２６１）。ＲＡＴ管理部１０３は、ＬＴＥ用のＮＡＳプロトコルを用いてＮＡＳ接続を行うようにＮＡＳ（ＬＴＥ）処理部１０２に要求する（Ｓ２６２）。ＮＡＳ（ＬＴＥ）処理部１０２は、ＣＮ装置（ＬＴＥ）３０に、ＬＴＥ用のＮＡＳプロトコルのＮＡＳメッセージ（アタッチ）を送信する（Ｓ２６３）。
【００６５】
ＮＷ及びＵＥ１０がそれぞれ５Ｇ用のＮＡＳプロトコル及びＬＴＥ用のＮＡＳプロトコルの両方に対応している場合、ＵＥ１０のＡＳ（５Ｇ）処理部１００は、無線確立通知と共に、ＮＷが５Ｇ用のＮＡＳプロトコル及びＬＴＥ用のＮＡＳプロトコルの両方に対応していることをＲＡＴ管理部１０３に通知する（Ｓ２７１）。ＲＡＴ管理部１０３は、優先度を示す情報に基づいて、ＬＴＥ用のＮＡＳプロトコルを用いてＮＡＳ接続を行うのか、５Ｇ用のＮＡＳプロトコルを用いてＮＡＳ接続を行うのかを選択する（Ｓ２７２）。５Ｇ用のＮＡＳプロトコルを用いてＮＡＳ接続を行う場合はステップＳ２５２の処理手順に進み、ＬＴＥ用のＮＡＳプロトコルを用いてＮＡＳ接続を行う場合はステップＳ２６２の処理手順に進む。なお、ＲＡＴ管理部１０３は、ＣＮ装置（ＬＴＥ）３０及びＣＮ装置（５Ｇ）４０の両方にアタッチするために、ステップＳ２５２の処理手順及びステップＳ２６２の処理手順の両方を実行してもよい。
【００６６】
以上、第二の実施の形態について説明した。第二の実施の形態によれば、ＵＥ１０は、ＣＮがサポートするＮＡＳプロトコル種別に基づいて、ＣＮに送信するＮＡＳプロトコル種別を選択することができる。
【００６７】
［第三の実施の形態］
第三の実施の形態では、ＵＥ１０は、基地局２０との間で行われる無線確立手順において、使用する予定のＮＡＳプロトコルの種別を通知する。基地局２０は、ＮＷがサポートしていないＮＡＳプロトコル種別が通知された場合、無線確立を拒否又は無線の解放を行う。ＵＥ１０は、無線確立を拒否又は無線の解放が行われた場合で、かつ、５Ｇ用及びＬＴＥ用の両方のＮＡＳプロトコル種別に対応している場合、拒否されたＮＡＳメッセージとは異なるＮＡＳプロトコル種別を使用する予定であることを基地局２０に通知する。
【００６８】
図９〜図１２は、第三の実施の形態に係る無線通信システムが行う処理手順の一例を示すシーケンス図である。
【００６９】
ＵＥ１０のＡＳ（５Ｇ）処理部１００は、５Ｇエリアに在圏したことを検出し（Ｓ３０１）、基地局２０から報知情報を受信する（Ｓ３０２）。ＡＳ（５Ｇ）処理部１００は、報知情報をＲＡＴ管理部１０３に通知する（Ｓ３０３）。
【００７０】
ＵＥ１０が５Ｇ用のＮＡＳプロトコルのみに対応している場合、ＲＡＴ管理部１０３は、５Ｇ用のＮＡＳプロトコルを用いてＮＡＳ接続を行うようにＮＡＳ（５Ｇ）処理部１０１に要求する（Ｓ３１１）。ＮＡＳ（５Ｇ）処理部１０１は、無線確立をＡＳ（５Ｇ）処理部１００に要求する（Ｓ３１２）。ＡＳ（５Ｇ）処理部１００は、基地局２０に無線確立を要求すると共に、５Ｇ用のＮＡＳプロトコルのＮＡＳメッセージを送信予定であることを通知する（Ｓ３１３）。
【００７１】
ＮＷが５Ｇ用のＮＡＳプロトコルに対応している場合、基地局２０の通信部２００は、当該通知に基づき、ＣＮ装置（５Ｇ）４０との間で、ＮＡＳメッセージを送受信するためのインタフェース（コネクション）を確立する（Ｓ３２１）。基地局２０の通信部２００は、ＵＥ１０に無線確立指示を送信する（Ｓ３２２）。ＵＥ１０のＡＳ（５Ｇ）処理部１００は、基地局２０に無線確立完了を送信する（Ｓ３２３）。ＡＳ（５Ｇ）処理部１００は、ＮＡＳ（５Ｇ）処理部１０１に無線確立完了を通知する（Ｓ３２４）。ＮＡＳ（５Ｇ）処理部１０１は、ＣＮ装置（５Ｇ）４０に、５Ｇ用のＮＡＳプロトコルのＮＡＳメッセージ（アタッチ）を送信する（Ｓ３２５）。
【００７２】
ＮＷが５Ｇ用のＮＡＳプロトコルに対応していない場合、基地局２０の通信部２００は、ＣＮ装置（５Ｇ）４０との間で、ＮＡＳメッセージを送受信するためのインタフェース（コネクション）確立に失敗することになる（Ｓ３３１）。基地局２０の通信部２００は、無線確立を拒否することをＵＥ１０に通知する共に、失敗理由（拒否理由）としてＮＷが５Ｇ用のＮＡＳプロトコルに対応していないことをＵＥ１０に通知する。（Ｓ３３２）。ＡＳ（５Ｇ）処理部１００は、ＲＡＴ管理部１０３に無線確立失敗を通知する。ＲＡＴ管理部１０３は、ＮＷが５Ｇ用のＮＡＳプロトコルに対応していないため、他のＲＡＴ（例えばＬＴＥ）のエリア又は他のオペレータのエリアに在圏することを選択する（Ｓ３３４）。
【００７３】
ＵＥ１０がＬＴＥ用のＮＡＳプロトコルのみに対応している場合、ＲＡＴ管理部１０３は、ＬＴＥ用のＮＡＳプロトコルを用いてＮＡＳ接続を行うようにＮＡＳ（ＬＴＥ）処理部１０２に要求する（Ｓ３４１）。ＮＡＳ（ＬＴＥ）処理部１０２は、無線確立をＡＳ（５Ｇ）処理部１００に要求する（Ｓ３４２）。ＡＳ（５Ｇ）処理部１００は、基地局２０に無線確立を要求すると共に、ＬＴＥ用のＮＡＳプロトコルのＮＡＳメッセージを送信予定であることを通知する（Ｓ３４３）。
【００７４】
ＮＷがＬＴＥ用のＮＡＳプロトコルに対応している場合、基地局２０の通信部２００は、当該通知に基づき、ＣＮ装置（ＬＴＥ）３０との間で、ＮＡＳメッセージを送受信するためのインタフェース（コネクション）を確立する（Ｓ３５１）。基地局２０の通信部２００は、ＵＥ１０に無線確立指示を送信する（Ｓ３５２）。ＵＥ１０のＡＳ（５Ｇ）処理部１００は、基地局２０に無線確立完了を送信する（Ｓ３５３）。ＡＳ（５Ｇ）処理部１００は、ＮＡＳ（ＬＴＥ）処理部１０２に無線確立完了を通知する（Ｓ３５４）。ＮＡＳ（ＬＴＥ）処理部１０２は、ＣＮ装置（ＬＴＥ）３０に、ＬＴＥ用のＮＡＳプロトコルのＮＡＳメッセージ（アタッチ）を送信する（Ｓ３５５）。
【００７５】
ＮＷがＬＴＥ用のＮＡＳプロトコルに対応していない場合、基地局２０の通信部２００は、ＣＮ装置（ＬＴＥ）３０との間で、ＮＡＳメッセージを送受信するためのインタフェース（コネクション）確立に失敗することになる（Ｓ３６１）。基地局２０の通信部２００は、無線確立を拒否することをＵＥ１０に通知する共に、失敗理由（拒否理由）としてＮＷがＬＴＥ用のＮＡＳプロトコルに対応していないことをＵＥ１０に通知する。（Ｓ３６２）。ＡＳ（５Ｇ）処理部１００は、ＲＡＴ管理部１０３に無線確立失敗を通知する。ＲＡＴ管理部１０３は、ＮＷがＬＴＥ用のＮＡＳプロトコルに対応していないため、他のＲＡＴ（例えば５Ｇ）のエリア又は他のオペレータのエリアに在圏することを選択する（Ｓ３６４）。
【００７６】
ＵＥ１０が５Ｇ用のＮＡＳプロトコル及びＬＴＥ用のＮＡＳプロトコルの両方に対応している場合、ＲＡＴ管理部１０３は、優先度を示す情報に基づいて、ＬＴＥ用のＮＡＳプロトコルを用いてＮＡＳ接続を行うのか、５Ｇ用のＮＡＳプロトコルを用いてＮＡＳ接続を行うのかを選択する（Ｓ３７１）。５Ｇ用のＮＡＳプロトコルを用いてＮＡＳ接続を行う場合はステップＳ３７２の処理手順に進み、ＬＴＥ用のＮＡＳプロトコルを用いてＮＡＳ接続を行う場合はステップＳ４１１の処理手順に進む。また、ＲＡＴ管理部１０３は、ＣＮ装置（ＬＴＥ）３０及びＣＮ装置（５Ｇ）４０の両方にアタッチするために、ステップＳ３７２の処理手順及びステップＳ４１１の処理手順の両方を実行するようにしてもよい。
【００７７】
５Ｇ用のＮＡＳプロトコルを用いてＮＡＳ接続を行うことを選択した場合（Ｓ３７１）、ＲＡＴ管理部１０３は、５Ｇ用のＮＡＳプロトコルを用いてＮＡＳ接続を行うようにＮＡＳ（５Ｇ）処理部１０１に要求する（Ｓ３７２）。ＮＡＳ（５Ｇ）処理部１０１は、無線確立をＡＳ（５Ｇ）処理部１００に要求する（Ｓ３７３）。ＡＳ（５Ｇ）処理部１００は、基地局２０に無線確立を要求すると共に、５Ｇ用のＮＡＳプロトコルのＮＡＳメッセージを送信予定であることを通知する（Ｓ３７４）。
【００７８】
ＮＷが５Ｇ用のＮＡＳプロトコルに対応している場合、ステップＳ３８１乃至ステップＳ３８５の処理手順が行われる。ステップＳ３８１乃至ステップＳ３８５の処理手順は、それぞれステップＳ３２１乃至ステップＳ３２５と同一であるため説明は省略する。
【００７９】
ＮＷが５Ｇ用のＮＡＳプロトコルに対応していない場合、ステップＳ３９１乃至ステップＳ３９３の処理手順が行われる。ステップＳ３９１乃至ステップＳ３９３の処理手順は、それぞれステップＳ３３１乃至ステップＳ３３３と同一であるため説明は省略する。ここで、ＲＡＴ管理部１０３が、ＣＮ装置（ＬＴＥ）３０及びＣＮ装置（５Ｇ）４０の両方にアタッチするために、ステップＳ３７２の処理手順及びステップＳ４１１の処理手順の両方を実行していない場合（Ｓ３７１）、ステップＳ４０１乃至ステップＳ４０８の処理手順が行われる。ステップＳ４０１乃至ステップＳ４０３の処理手順は、それぞれステップＳ３４１乃至ステップＳ３４３と同一であるため説明は省略する。また、ステップＳ４０４乃至ステップＳ４０８の処理手順は、それぞれステップＳ３５１乃至ステップＳ３５５と同一であるため説明は省略する。
【００８０】
ＬＴＥ用のＮＡＳプロトコルを用いてＮＡＳ接続を行うことを選択した場合（Ｓ３７１）、ＲＡＴ管理部１０３は、ＬＴＥ用のＮＡＳプロトコルを用いてＮＡＳ接続を行うようにＮＡＳ（ＬＴＥ）処理部１０２に要求する（Ｓ４１１）。ＮＡＳ（ＬＴＥ）処理部１０２は、無線確立をＡＳ（５Ｇ）処理部１００に要求する（Ｓ４１２）。ＡＳ（５Ｇ）処理部１００は、基地局２０に無線確立を要求すると共に、ＬＴＥ用のＮＡＳプロトコルのＮＡＳメッセージを送信予定であることを通知する（Ｓ４１３）。
【００８１】
ＮＷがＬＴＥ用のＮＡＳプロトコルに対応している場合、ステップＳ４２１乃至ステップＳ４２５の処理手順が行われる。ステップＳ４２１乃至ステップＳ４２５の処理手順は、それぞれステップＳ３５１乃至ステップＳ３５５と同一であるため説明は省略する。
【００８２】
ＮＷがＬＴＥ用のＮＡＳプロトコルに対応していない場合、ステップＳ４２６乃至ステップＳ４２８の処理手順が行われる。ステップＳ４２６乃至ステップＳ４２８の処理手順は、それぞれステップＳ３６１乃至ステップＳ３６３と同一であるため説明は省略する。ここで、ＲＡＴ管理部１０３が、ＣＮ装置（ＬＴＥ）３０及びＣＮ装置（５Ｇ）４０の両方にアタッチするために、ステップＳ３７２の処理手順及びステップＳ４１１の処理手順の両方を実行していない場合（Ｓ３７１）、ステップＳ４３１乃至ステップＳ４３８の処理手順が行われる。ステップＳ４３１乃至ステップＳ４３３の処理手順は、それぞれステップＳ３１１乃至ステップＳ３１３と同一であるため説明は省略する。また、ステップＳ４３４乃至ステップＳ４３８の処理手順は、それぞれステップＳ３２１乃至ステップＳ３２５と同一であるため説明は省略する。
【００８３】
以上、第三の実施の形態について説明した。第三の実施の形態によれば、ＵＥ１０は、自身が送信を希望するＮＡＳプロトコル種別のＮＡＳメッセージを基地局２０に通知し、基地局２０からＮＡＳプロトコル種別に対応していないとの通知を受けた場合に、他のＮＡＳプロトコル種別を選択することができる。
【００８４】
なお、ステップＳ３１３の処理手順において、ＡＳ（５Ｇ）処理部１００は、５Ｇ用のＮＡＳプロトコル種別のＮＡＳメッセージを送信予定であることを基地局２０に通知したが、ＡＳ（５Ｇ）処理部１００は、当該通知を、ステップＳ３２３の処理手順で行うようにしてもよい。この場合、ステップＳ３２１の処理手順は、ステップＳ３２３の処理手順の後に行われる。
【００８５】
また、ステップＳ３４３の処理手順において、ＡＳ（５Ｇ）処理部１００は、ＬＴＥ用のＮＡＳプロトコル種別のＮＡＳメッセージを送信予定であることを基地局２０に通知したが、ＡＳ（５Ｇ）処理部１００は、当該通知を、ステップＳ３５３の処理手順で行うようにしてもよい。この場合、ステップＳ３５１の処理手順は、ステップＳ３５３の処理手順の後に行われる。
【００８６】
また、ステップＳ３７４の処理手順において、ＡＳ（５Ｇ）処理部１００は、５Ｇ用のＮＡＳプロトコル種別のＮＡＳメッセージを送信予定であることを基地局２０に通知したが、ＡＳ（５Ｇ）処理部１００は、当該通知を、ステップＳ３８３の処理手順で行うようにしてもよい。この場合、ステップＳ３８１の処理手順は、ステップＳ３８３の処理手順の後に行われる。
【００８７】
また、ステップＳ４０３の処理手順において、ＡＳ（５Ｇ）処理部１００は、ＬＴＥ用のＮＡＳプロトコル種別のＮＡＳメッセージを送信予定であることを基地局２０に通知したが、ＡＳ（５Ｇ）処理部１００は、当該通知を、ステップＳ４０６の処理手順で行うようにしてもよい。この場合、ステップＳ４０４の処理手順は、ステップＳ４０６の処理手順の後に行われる。
【００８８】
また、ステップＳ４１３の処理手順において、ＡＳ（５Ｇ）処理部１００は、ＬＴＥ用のＮＡＳプロトコル種別のＮＡＳメッセージを送信予定であることを基地局２０に通知したが、ＡＳ（５Ｇ）処理部１００は、当該通知を、ステップＳ４２３の処理手順で行うようにしてもよい。この場合、ステップＳ４２１の処理手順は、ステップＳ４２３の処理手順の後に行われる。
【００８９】
なお、ステップＳ４３３の処理手順において、ＡＳ（５Ｇ）処理部１００は、５Ｇ用のＮＡＳプロトコル種別のＮＡＳメッセージを送信予定であることを基地局２０に通知したが、ＡＳ（５Ｇ）処理部１００は、当該通知を、ステップＳ４３６の処理手順で行うようにしてもよい。この場合、ステップＳ４３４の処理手順は、ステップＳ４３６の処理手順の後に行われる。
【００９０】
［第四の実施の形態］
第四の実施の形態では、ＵＥ１０は、自身がサポートするＮＡＳプロトコルの種別のＮＡＳメッセージをＮＷに送信する。ＣＮ装置は、ＣＮ装置がサポートしていないＮＡＳプロトコル種別のＮＡＳメッセージが通知された場合、ＮＡＳメッセージを拒否する応答メッセージをＵＥ１０に送信する。ＵＥ１０は、ＮＡＳメッセージが拒否された場合で、かつ、５Ｇ用及びＬＴＥ用の両方のＮＡＳプロトコル種別に対応している場合、拒否されたＮＡＳメッセージとは異なるＮＡＳプロトコル種別のＮＡＳメッセージをＣＮ装置に送信する。
【００９１】
図１３〜図１６は、第四の実施の形態に係る無線通信システムが行う処理手順の一例を示すシーケンス図である。
【００９２】
ＵＥ１０のＡＳ（５Ｇ）処理部１００は、５Ｇエリアに在圏したことを検出し（Ｓ５１１）、基地局２０から報知情報を受信する（Ｓ５１２）。ＡＳ（５Ｇ）処理部１００は、報知情報をＲＡＴ管理部１０３に通知する（Ｓ５１３）。
【００９３】
ＵＥ１０が５Ｇ用のＮＡＳプロトコルのみに対応している場合、ＲＡＴ管理部１０３は、５Ｇ用のＮＡＳプロトコルを用いてＮＡＳ接続を行うようにＮＡＳ（５Ｇ）処理部１０１に要求する（Ｓ５２１）。ＮＡＳ（５Ｇ）処理部１０１は、無線確立をＡＳ（５Ｇ）処理部１００に要求する（Ｓ５２２）。ＡＳ（５Ｇ）処理部１００は、基地局２０に無線確立を要求する（Ｓ５２３）。
【００９４】
ここで、基地局２０の選択部２０１は、ＮＷがサポートしているＮＡＳプロトコル種別に基づいて、ＮＡＳメッセージを送受信するためのインタフェース（コネクション）を確立するＣＮ装置を選択する（Ｓ５２４）。ＣＮ装置（５Ｇ）４０を選択した場合はＳ５３１に進み、ＣＮ装置（ＬＴＥ）３０を選択した場合はＳ５４１に進む。
【００９５】
基地局２０の選択部２０１がＣＮ装置（５Ｇ）４０を選択した場合（Ｓ５２４）、基地局２０の通信部２００は、ＣＮ装置（５Ｇ）４０との間で、ＮＡＳメッセージを送受信するためのインタフェース（コネクション）を確立する（Ｓ５３１）。基地局２０の通信部２００は、ＵＥ１０に無線確立指示を送信する（Ｓ５３２）。ＵＥ１０のＡＳ（５Ｇ）処理部１００は、基地局２０に無線確立完了を送信する（Ｓ５３３）。ＡＳ（５Ｇ）処理部１００は、ＮＡＳ（５Ｇ）処理部１０１に無線確立完了を通知する（Ｓ５３４）。ＮＡＳ（５Ｇ）処理部１０１は、ＣＮ装置（５Ｇ）４０に、５Ｇ用のＮＡＳプロトコルのＮＡＳメッセージ（アタッチ）を送信する（Ｓ５３５）。ＣＮ装置（５Ｇ）４０は、ＵＥ１０にＮＡＳメッセージ（アタッチＯＫ）を送信する（Ｓ５３６）。
【００９６】
基地局２０の選択部２０１がＣＮ装置（ＬＴＥ）３０を選択した場合（Ｓ５２４）、基地局２０の通信部２００は、ＣＮ装置（ＬＴＥ）３０との間で、ＮＡＳメッセージを送受信するためのインタフェース（コネクション）を確立する（Ｓ５４１）。基地局２０の通信部２００は、ＵＥ１０に無線確立指示を送信する（Ｓ５４２）。ＵＥ１０のＡＳ（５Ｇ）処理部１００は、基地局２０に無線確立完了を送信する（Ｓ５４３）。ＡＳ（５Ｇ）処理部１００は、ＮＡＳ（５Ｇ）処理部１０１に無線確立完了を通知する（Ｓ５４４）。ＮＡＳ（５Ｇ）処理部１０１は、ＣＮ装置（ＬＴＥ）３０に、５Ｇ用のＮＡＳプロトコルのＮＡＳメッセージ（アタッチ）を送信する（Ｓ５４５）。ＣＮ装置（ＬＴＥ）３０は、自身がサポートしていないＮＡＳメッセージを受信したため、５Ｇ用のＮＡＳプロトコルのＮＡＳメッセージ（アタッチ）を拒否するＮＡＳメッセージをＵＥ１０に送信する（Ｓ５４６）。ＮＡＳ（５Ｇ）処理部１０１は、ＮＡＳメッセージ（アタッチ）が拒否されたことをＲＡＴ管理部１０３に通知する（Ｓ５４７）。ＲＡＴ管理部１０３は、ＮＷが５Ｇ用のＮＡＳプロトコルに対応していないため、他のＲＡＴ（例えばＬＴＥ）のエリア又は他のオペレータのエリアに在圏することを選択する（Ｓ５４８）。
【００９７】
ＵＥ１０がＬＴＥ用のＮＡＳプロトコルのみに対応している場合、ＲＡＴ管理部１０３は、ＬＴＥ用のＮＡＳプロトコルを用いてＮＡＳ接続を行うようにＮＡＳ（ＬＴＥ）処理部１０２に要求する（Ｓ５５１）。ＮＡＳ（ＬＴＥ）処理部１０２は、無線確立をＡＳ（５Ｇ）処理部１００に要求する（Ｓ５５２）。ＡＳ（５Ｇ）処理部１００は、基地局２０に無線確立を要求すると共に、ＬＴＥ用のＮＡＳプロトコルのＮＡＳメッセージを送信予定であることを通知する（Ｓ５５３）。
【００９８】
ここで、基地局２０の選択部２０１は、ＮＷがサポートしているＮＡＳプロトコル種別に基づいて、ＮＡＳメッセージを送受信するためのインタフェース（コネクション）を確立するＣＮ装置を選択する（Ｓ５５４）。ＣＮ装置（５Ｇ）４０を選択した場合はＳ５６１に進み、ＣＮ装置（ＬＴＥ）３０を選択した場合はＳ５７１に進む。
【００９９】
基地局２０の選択部２０１がＣＮ装置（ＬＴＥ）３０を選択した場合（Ｓ５５４）、基地局２０の通信部２００は、ＣＮ装置（ＬＴＥ）３０との間で、ＮＡＳメッセージを送受信するためのインタフェース（コネクション）を確立する（Ｓ５６１）。基地局２０の通信部２００は、ＵＥ１０に無線確立指示を送信する（Ｓ５６２）。ＵＥ１０のＡＳ（５Ｇ）処理部１００は、基地局２０に無線確立完了を送信する（Ｓ５６３）。ＡＳ（５Ｇ）処理部１００は、ＮＡＳ（ＬＴＥ）処理部１０２に無線確立完了を通知する（Ｓ５６４）。ＮＡＳ（ＬＴＥ）処理部１０２は、ＣＮ装置（ＬＴＥ）３０に、ＬＴＥ用のＮＡＳプロトコルのＮＡＳメッセージ（アタッチ）を送信する（Ｓ５６５）。ＣＮ装置（ＬＴＥ）３０は、ＵＥ１０にＮＡＳメッセージ（アタッチＯＫ）を送信する（Ｓ５６６）。
【０１００】
基地局２０の選択部２０１がＣＮ装置（５Ｇ）４０を選択した場合（Ｓ５５４）、基地局２０の通信部２００は、ＣＮ装置（５Ｇ）４０との間で、ＮＡＳメッセージを送受信するためのインタフェース（コネクション）を確立する（Ｓ５７１）。基地局２０の通信部２００は、ＵＥ１０に無線確立指示を送信する（Ｓ５７２）。ＵＥ１０のＡＳ（５Ｇ）処理部１００は、基地局２０に無線確立完了を送信する（Ｓ５７３）。ＡＳ（５Ｇ）処理部１００は、ＮＡＳ（ＬＴＥ）処理部１０２に無線確立完了を通知する（Ｓ５７４）。ＮＡＳ（ＬＴＥ）処理部１０２は、ＣＮ装置（ＬＴＥ）３０に、ＬＴＥ用のＮＡＳプロトコルのＮＡＳメッセージ（アタッチ）を送信する（Ｓ５７５）。ＣＮ装置（５Ｇ）４０は、自身がサポートしていないＮＡＳメッセージを受信したため、ＬＴＥ用のＮＡＳプロトコルのＮＡＳメッセージ（アタッチ）を拒否するＮＡＳメッセージをＵＥ１０に送信する（Ｓ５７６）。ＮＡＳ（ＬＴＥ）処理部１０２は、ＮＡＳメッセージ（アタッチ）が拒否されたことをＲＡＴ管理部１０３に通知する（Ｓ５７７）。ＲＡＴ管理部１０３は、ＮＷがＬＴＥ用のＮＡＳプロトコルに対応していないため、他のＲＡＴ（例えば５Ｇ）のエリア又は他のオペレータのエリアに在圏することを選択する（Ｓ５７８）。
【０１０１】
ＵＥ１０が５Ｇ用のＮＡＳプロトコル及びＬＴＥ用のＮＡＳプロトコルの両方に対応している場合、ＲＡＴ管理部１０３は、優先度を示す情報に基づいて、ＬＴＥ用のＮＡＳプロトコルを用いてＮＡＳ接続を行うのか、５Ｇ用のＮＡＳプロトコルを用いてＮＡＳ接続を行うのかを選択する（Ｓ５８１）。５Ｇ用のＮＡＳプロトコルを用いてＮＡＳ接続を行う場合はステップＳ５８２の処理手順に進み、ＬＴＥ用のＮＡＳプロトコルを用いてＮＡＳ接続を行う場合はステップＳ６２１の処理手順に進む。また、ＲＡＴ管理部１０３は、ＣＮ装置（ＬＴＥ）３０及びＣＮ装置（５Ｇ）４０の両方にアタッチするために、ステップＳ５８２の処理手順及びステップＳ６２１の処理手順の両方を実行するようにしてもよい。
【０１０２】
ＲＡＴ管理部１０３が５Ｇ用のＮＡＳプロトコルを用いてＮＡＳ接続を行うことを選択した場合（Ｓ５８１）、ＲＡＴ管理部１０３は、５Ｇ用のＮＡＳプロトコルを用いてＮＡＳ接続を行うようにＮＡＳ（５Ｇ）処理部１０１に要求する（Ｓ５８２）。ＮＡＳ（５Ｇ）処理部１０１は、無線確立をＡＳ（５Ｇ）処理部１００に要求する（Ｓ５８３）。ＡＳ（５Ｇ）処理部１００は、基地局２０に無線確立を要求する（Ｓ５８４）。
【０１０３】
ここで、基地局２０の選択部２０１は、ＮＷがサポートしているＮＡＳプロトコル種別に基づいて、ＮＡＳメッセージを送受信するためのインタフェース（コネクション）を確立するＣＮ装置を選択する（Ｓ５８５）。ＣＮ装置（５Ｇ）４０を選択した場合はＳ５９１に進み、ＣＮ装置（ＬＴＥ）３０を選択した場合はＳ６０１に進む。
【０１０４】
基地局２０の選択部２０１がＣＮ装置（５Ｇ）４０を選択した場合（Ｓ５８５）、Ｓ５９１乃至Ｓ５９６の処理手順が行われる。Ｓ５９１乃至Ｓ５９６の処理手順は、それぞれ、Ｓ５３１乃至Ｓ５３６の処理手順と同一であるため説明は省略する。
【０１０５】
基地局２０の選択部２０１がＣＮ装置（ＬＴＥ）３０を選択した場合（Ｓ５８５）、Ｓ６０１乃至Ｓ６１４の処理手順が行われる。Ｓ６０１乃至Ｓ６０７の処理手順は、それぞれ、Ｓ５４１乃至Ｓ５４７の処理手順と同一であるため説明は省略する。ここで、ＲＡＴ管理部１０３が、ＣＮ装置（ＬＴＥ）３０及びＣＮ装置（５Ｇ）４０の両方にアタッチするために、ステップＳ５８２の処理手順及びステップＳ６２１の処理手順の両方を実行していない場合（Ｓ５８１）、ＲＡＴ管理部１０３は、ＬＴＥ用のＮＡＳプロトコルを用いてＮＡＳ接続を行うようにＮＡＳ（ＬＴＥ）処理部１０２に要求する（Ｓ６１１）。ＮＡＳ（ＬＴＥ）処理部１０２は、ＡＳ（５Ｇ）処理部１００に無線確立要求を送信し、ＡＳ（５Ｇ）処理部１００は、ＮＡＳ（ＬＴＥ）処理部１０２に無線確立応答を送信する（Ｓ６１２）。ＮＡＳ（ＬＴＥ）処理部１０２は、ＣＮ装置（ＬＴＥ）３０に、ＬＴＥ用のＮＡＳプロトコルのＮＡＳメッセージ（アタッチ）を送信する（Ｓ６１３）。ＣＮ装置（ＬＴＥ）３０は、ＵＥ１０にＮＡＳメッセージ（アタッチＯＫ）を送信する（Ｓ６１４）。
【０１０６】
ＲＡＴ管理部１０３がＬＴＥ用のＮＡＳプロトコルを用いてＮＡＳ接続を行うことを選択した場合（Ｓ５８１）、ＲＡＴ管理部１０３は、ＬＴＥ用のＮＡＳプロトコルを用いてＮＡＳ接続を行うようにＮＡＳ（ＬＴＥ）処理部１０２に要求する（Ｓ６２１）。ＮＡＳ（ＬＴＥ）処理部１０２は、無線確立をＡＳ（５Ｇ）処理部１００に要求する（Ｓ６２２）。ＡＳ（５Ｇ）処理部１００は、基地局２０に無線確立を要求する（Ｓ６２３）。
【０１０７】
ここで、基地局２０の選択部２０１は、ＮＷがサポートしているＮＡＳプロトコル種別に基づいて、ＮＡＳメッセージを送受信するためのインタフェース（コネクション）を確立するＣＮ装置を選択する（Ｓ６２４）。ＣＮ装置（ＬＴＥ）３０を選択した場合はＳ６３１に進み、ＣＮ装置（５Ｇ）４０を選択した場合はＳ６４１に進む。
【０１０８】
基地局２０の選択部２０１がＣＮ装置（ＬＴＥ）３０を選択した場合（Ｓ６２４）、Ｓ６３１乃至Ｓ６３６の処理手順が行われる。Ｓ６３１乃至Ｓ６３６の処理手順は、それぞれ、Ｓ５６１乃至Ｓ５６６の処理手順と同一であるため説明は省略する。
【０１０９】
基地局２０の選択部２０１がＣＮ装置（５Ｇ）４０を選択した場合（Ｓ６２４）、Ｓ６４１乃至Ｓ６５４の処理手順が行われる。Ｓ６４１乃至Ｓ６４７の処理手順は、それぞれ、Ｓ５７１乃至Ｓ５７７の処理手順と同一であるため説明は省略する。ここで、ＲＡＴ管理部１０３が、ＣＮ装置（ＬＴＥ）３０及びＣＮ装置（５Ｇ）４０の両方にアタッチするために、ステップＳ５８２の処理手順及びステップＳ６２１の処理手順の両方を実行していない場合（Ｓ５８１）、ＲＡＴ管理部１０３は、５Ｇ用のＮＡＳプロトコルを用いてＮＡＳ接続を行うようにＮＡＳ（５Ｇ）処理部１０１に要求する（Ｓ６５１）。ＮＡＳ（５Ｇ）処理部１０１は、ＡＳ（５Ｇ）処理部１００に無線確立要求を送信し、ＡＳ（５Ｇ）処理部１００は、ＮＡＳ（５Ｇ）処理部１０１に無線確立応答を送信する（Ｓ６５２）。ＮＡＳ（５Ｇ）処理部１０１は、ＣＮ装置（５Ｇ）４０に、５Ｇ用のＮＡＳプロトコルのＮＡＳメッセージ（アタッチ）を送信する（Ｓ６５３）。ＣＮ装置（５Ｇ）４０は、ＵＥ１０にＮＡＳメッセージ（アタッチＯＫ）を送信する（Ｓ６５４）。
【０１１０】
以上、第四の実施の形態について説明した。第四の実施の形態によれば、ＵＥ１０は、自身が送信を希望するＮＡＳプロトコル種別のＮＡＳメッセージをＣＮ装置に送信し、ＣＮ装置からＮＡＳプロトコル種別に対応していないとの通知を受けた場合に、他のＮＡＳプロトコル種別を選択することができる。
【０１１１】
（優先度を示す情報について）
第一の実施の形態〜第四の実施の形態で用いた「優先度を示す情報」は、ＵＥ１０内に予め設定されていてもよいし、ＵＳＩＭ内に格納されていてもよいし、報知情報の中に含まれていてもよい。当該優先度を示す情報は、例えば、５Ｇ用のＮＡＳプロトコルを優先すべきとの情報であってもよいし、ＬＴＥ用のＮＡＳプロトコルを優先すべきとの情報であってもよい。また、例えば、ＩＭＳを用いる通信を行う場合はＬＴＥ用のＮＡＳプロトコルを使用し、その他の通信を行う場合は５Ｇ用のＮＡＳプロトコルを使用すべきというように、通信種別に基づいて優先すべきＮＡＳプロトコルが指定される情報であってもよい。５ＧをサポートするＣＮではＩＭＳ（IP Multimedia Subsystem）に対応していない場合、ＵＥは、ＩＭＳ音声を発呼する際はＬＴＥをサポートするＣＮに接続し、ベストエフォートパケット呼を発呼する際は５ＧをサポートするＣＮに接続するといったように、呼種別に応じて利用するＣＮを切替えることが可能になる。
【０１１２】
（各実施の形態に関する補足事項について）
各実施の形態に係る基地局２０は、５ＧのＲＡＴをサポートする基地局に限られず、ＬＴＥのＲＡＴをサポートする基地局であってもよい。また、各実施の形態は、ＬＴＥ方式及び５Ｇ方式に限られない。他の無線方式に各実施の形態を適用することも可能である。
【０１１３】
また、ＵＥ１０は、ＣＮ装置（ＬＴＥ）３０及びＣＮ装置（５Ｇ）４０の両方にアタッチすることで、利用するＣＮを任意に切替えることができる。
【０１１４】
＜まとめ＞
以上、実施の形態によれば、ユーザ装置と基地局とコアネットワーク装置とを有する無線通信システムにおけるユーザ装置であって、前記基地局から、前記コアネットワーク装置がサポートするＮＡＳプロトコル種別を示す情報を受信する受信部と、前記受信部で受信された前記ＮＡＳプロトコル種別を示す情報に基づいて、前記コアネットワーク装置に送信すべきＮＡＳプロトコル種別を選択する選択部と、前記選択部で選択された前記ＮＡＳプロトコル種別のＮＡＳメッセージを前記コアネットワーク装置に送信する送信部と、を有するユーザ装置が提供される。これにより、ＵＥ１０が、ネットワークアーキテクチャに応じた適切なＮＡＳプロトコルを使用することを可能にする技術が提供される。
【０１１５】
また、前記選択部は、前記コアネットワーク装置が、複数のＮＡＳプロトコル種別をサポートする場合、所定の優先度に基づいて、前記コアネットワーク装置に送信すべきＮＡＳプロトコル種別を選択するようにしてもよい。これにより、ＵＥ１０は、例えば、呼種別等に基づいて、アタッチ先のＣＮ装置を選択することが可能になる。
【０１１６】
また、実施の形態によれば、ユーザ装置と基地局とコアネットワーク装置とを有する無線通信システムにおけるユーザ装置であって、前記コアネットワーク装置に送信すべき第一のＮＡＳプロトコル種別を選択する選択部と、前記選択部で選択された前記第一のＮＡＳプロトコル種別のＮＡＳメッセージを使用することを示す情報を前記基地局に送信する、又は、前記選択部で選択された前記第一のＮＡＳプロトコル種別のＮＡＳメッセージを前記コアネットワーク装置に送信する送信部と、を有し、前記選択部は、前記コアネットワーク装置が前記第一のＮＡＳプロトコル種別をサポートしていないことを通知された場合、前記第一のＮＡＳプロトコル種別とは異なる第二のＮＡＳプロトコル種別を選択し、前記送信部は、前記選択部で選択された前記第二のＮＡＳプロトコル種別のＮＡＳメッセージを前記コアネットワーク装置に送信する、ユーザ装置が提供される。これにより、ＵＥ１０が、ネットワークアーキテクチャに応じた適切なＮＡＳプロトコルを使用することを可能にする技術が提供される。
【０１１７】
また、前記選択部は、当該ユーザ装置が、複数のＮＡＳプロトコル種別をサポートする場合、所定の優先度に基づいて、前記コアネットワーク装置に送信すべき第一のＮＡＳプロトコル種別を選択するようにしてもよい。これにより、ＵＥ１０は、例えば、呼種別等に基づいて、アタッチ先のＣＮ装置を選択することが可能になる。
【０１１８】
また、実施の形態によれば、ユーザ装置と基地局と第一のＮＡＳプロトコル種別をサポートする第一のコアネットワーク装置と、第二のＮＡＳプロトコル種別をサポートする第二のコアネットワーク装置とを有する無線通信システムであって、前記基地局は、当該無線通信システムが前記第一のＮＡＳプロトコル種別及び前記第二のＮＡＳプロトコル種別をサポートすることを示す情報を前記ユーザ装置に送信する送信部、を有し、前記ユーザ装置は、前記基地局から、前記情報を受信する受信部と、前記受信部で受信された前記情報に基づいて、前記第一のコアネットワーク装置又は前記第二のコアネットワーク装置に送信すべきＮＡＳプロトコル種別を選択する選択部と、前記選択部で前記第一のＮＡＳプロトコル種別が選択された場合に前記第一のＮＡＳプロトコル種別のＮＡＳメッセージを前記第一のコアネットワーク装置に送信し、前記選択部で前記第二のＮＡＳプロトコル種別が選択された場合に前記第二のＮＡＳプロトコル種別のＮＡＳメッセージを前記第二のコアネットワーク装置に送信し、前記選択部で前記第一のＮＡＳプロトコル種別及び前記第二のＮＡＳプロトコル種別が選択された場合に、前記第一のＮＡＳプロトコル種別のＮＡＳメッセージ及び前記第二のＮＡＳプロトコル種別のＮＡＳメッセージをそれぞれ前記第一のコアネットワーク装置及び前記第二のコアネットワーク装置に送信する送信部と、を有する、無線通信システムが提供される。この無線通信システムにより、ＵＥが、ネットワークアーキテクチャに応じた適切なＮＡＳプロトコルを使用することを可能にする技術が提供される。
【０１１９】
また、実施の形態によれば、ユーザ装置と基地局とコアネットワーク装置とを有する無線通信システムにおけるユーザ装置が実行する通信方法であって、前記基地局から、前記コアネットワーク装置がサポートするＮＡＳプロトコル種別を示す情報を受信するステップと、受信された前記ＮＡＳプロトコル種別を示す情報に基づいて、前記コアネットワーク装置に送信すべきＮＡＳプロトコル種別を選択するステップと、選択された前記ＮＡＳプロトコル種別のＮＡＳメッセージを前記コアネットワーク装置に送信するステップと、を有する通信方法が提供される。この通信方法により、ＵＥが、ネットワークアーキテクチャに応じた適切なＮＡＳプロトコルを使用することを可能にする技術が提供される。
【０１２０】
＜実施形態の補足＞
本明細書で説明した各態様／実施形態は、Long  Term  Evolution（ＬＴＥ）、LTE-Advanced（ＬＴＥ−Ａ）、ＳＵＰＥＲ  ３Ｇ、ＩＭＴ−Ａｄｖａｎｃｅｄ、４Ｇ、５Ｇ、Future  Radio  Access（ＦＲＡ）、Ｗ−ＣＤＭＡ（登録商標）、ＧＳＭ（登録商標）、ＣＤＭＡ２０００、Ultra  Mobile  Broadband（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ultra-WideBand（ＵＷＢ）、Ｂｌｕｅｔｏｏｔｈ（登録商標）、その他の適切なシステムを利用するシステム及び／又はこれらに基づいて拡張された次世代システムに適用されてもよい。
【０１２１】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１２２】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１２３】
本明細書で使用する「システム」および「ネットワーク」という用語は、互換的に使用される。
【０１２４】
ＵＥ１０は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１２５】
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１２６】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０１２７】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１２８】
本明細書で使用する「第１の」、「第２の」などの呼称を使用した要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【０１２９】
本開示の全体において、例えば、英語でのa, an, 及びtheのように、翻訳により冠詞が追加された場合、これらの冠詞は、文脈から明らかにそうではないことが示されていなければ、複数のものを含むものとする。
【０１３０】
情報の通知は、本明細書で説明した態様／実施形態に限られず、他の方法で行われてもよい。例えば、情報の通知は、物理レイヤシグナリング（例えば、Downlink  Control  Information（ＤＣＩ）、Uplink  Control  Information（ＵＣＩ））、上位レイヤシグナリング（例えば、ＲＲＣシグナリング、ＭＡＣシグナリング、ブロードキャスト情報（Master  Information  Block（ＭＩＢ）、System  Information  Block（ＳＩＢ）））、その他の信号又はこれらの組み合わせによって実施されてもよい。また、ＲＲＣメッセージは、ＲＲＣシグナリングと呼ばれてもよい。また、ＲＲＣメッセージは、例えば、ＲＲＣ接続セットアップ（RRC Connection Setup）メッセージ、ＲＲＣ接続再構成（RRC Connection Reconfiguration）メッセージなどであってもよい。
【０１３１】
判定又は判断は、１ビットで表される値（０か１か）によって行われてもよいし、真偽値（Boolean：trueまたはfalse）によって行われてもよいし、数値の比較（例えば、所定の値との比較）によって行われてもよい。
【０１３２】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。
【０１３３】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は他の装置へ送信されてもよい。
【０１３４】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１３５】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１３６】
各実施の形態において、ＡＳ（５Ｇ）処理部１００は、受信部の一例である。ＲＡＴ管理部１０３は、選択部の一例である。ＮＡＳ（５Ｇ）処理部１０１及び／又はＮＡＳ（ＬＴＥ）処理部１０２は、送信部の一例である。通信部２００は、送信部の一例である。
【０１３７】
本国際特許出願は２０１６年７月８日に出願した日本国特許出願第２０１６−１３６４２２号に基づきその優先権を主張するものであり、日本国特許出願第２０１６−１３６４２２号の全内容を本願に援用する。
【符号の説明】
【０１３８】
１０  ＵＥ
２０  基地局
３０  ＣＮ装置（ＬＴＥ）
４０  ＣＮ装置（５Ｇ）
１００  ＡＳ（５Ｇ）処理部
１０１  ＮＡＳ（５Ｇ）処理部
１０２  ＮＡＳ（ＬＴＥ）処理部
１０３  ＲＡＴ管理部
２００  通信部
２０１  選択部
１００１  プロセッサ
１００２  メモリ
１００３  ストレージ
１００４  通信装置
１００５  入力装置
１００６  出力装置
【図１Ａ】
2018008230.tif 000003
【図１Ｂ】
2018008230.tif 000004
【図１Ｃ】
2018008230.tif 000005
【図２】
2018008230.tif 000006
【図３Ａ】
2018008230.tif 000007
【図３Ｂ】
2018008230.tif 000008
【図４】
2018008230.tif 000009
【図５】
2018008230.tif 000010
【図６】
2018008230.tif 000011
【図７】
2018008230.tif 000012
【図８】
2018008230.tif 000013
【図９】
2018008230.tif 000014
【図１０】
2018008230.tif 000015
【図１１】
2018008230.tif 000016
【図１２】
2018008230.tif 000017
【図１３】
2018008230.tif 000018
【図１４】
2018008230.tif 000019
【図１５】
2018008230.tif 000020
【図１６】
2018008230.tif 000021
【国際調査報告】
2018008230.tif 000022
2018008230.tif 000023
2018008230.tif 000024
2018008230.tif 000025